(57)【要約】【課題】輝度が均一で、構造が簡単なスキャナ光源を提供する。【解決手段】本考案のスキャナ光源は搭載板１０および複数のＬＥＤ２０を備える。ＬＥＤ２０は直線且つ分散して搭載板１０上に設置され、搭載板１０中央部から搭載板１０両端にかけて各ＬＥＤ２０間の間隔が徐々に縮小される。それによって、本考案のスキャナ光源１はその他の発光部材を加えなくても光学レンズ辺縁部分の輝度減衰を補償することができ、構造が簡単であり、製造および組立に便利である。【選択図】図２
0003139787.tif 000002
【実用新案登録請求の範囲】
【請求項１】
搭載板および複数のＬＥＤを備え、
前記ＬＥＤは、前記搭載板上に直線且つ分散して設置され、前記搭載板中央部から前記搭載板両端にかけて前記各ＬＥＤ間の間隔が徐々に縮小されることを特徴とするスキャナ光源。
【請求項２】
前記スキャナ光源は、二つのカバーを有し、前記カバーは前記搭載板の相対する両側部にそれぞれ設置され、前記二つのカバーは前記搭載板の前記ＬＥＤが搭載される一側から湾曲して弧形を呈し、前記二つのカバー間には出光口が形成されることを特徴とする請求項１記載のスキャナ光源。
【請求項３】
前記カバーは、内側面を有し、前記内側面上には反射層が設置されることを特徴とする請求項２記載のスキャナ光源。
【考案の詳細な説明】
【技術分野】
【０００１】
本考案はスキャナ光源に関し、特に、輝度の分布が均一なスキャナ光源に関する。
【背景技術】
【０００２】
科学技術の発展に伴って、スキャナはすでにキーボードおよびマウスに続いて広く使用されているコンピュータの入力装置となっている。スキャナは主に光源、光学レンズ、感光部材およびデジタル変換装置を備える。運転時、光源からの光が被読取物に照射された後反射され、反射後の光が光学レンズを通過して感光部材上に画像が形成され、感光部材は光信号を電気信号に変換し、電気信号はデジタル変換装置によってデジタル信号に変換されてコンピュータに送信される。従って、感光部材が受信する光の輝度および均一度はスキャナの読取品質に直接影響する。
【０００３】
従来技術において、スキャナの光源は一般に冷陰極管（ＣＣＦＬ）が採用されるが、冷陰極管の発光特性は灯管の中央部分から放出される光の輝度が高く、両端から放出される光の輝度は低い。また、光が光学レンズを通過するとき、有効視野角によって光学レンズの辺縁から遠い光は輝度が減衰し、感光部材に照射される光の輝度が不均一になり、スキャナの読取品質を高めることができない。
【０００４】
図１は特許文献１において開示される光源両端の輝度を高めることができる光源装置１”を示す模式図である。光源装置１”は大型ランプ１０”、少なくとも一つの第１の小型ランプ２０”および少なくとも一つの第２の小型ランプ３０”を備える。大型ランプ１０”は第１端１１”および第２端１２”を有し、第１の小型ランプ２０”および第２の小型ランプ３０”はそれぞれ大型ランプ１０”の第１端１１”および第２端１２”付近に設置され、第１端１１”および第２端１２”の光の輝度を補充する。光源装置１”の大型ランプ１０”の第１端１１”および第２端１２”の輝度は高められ、光学レンズ辺縁の光の輝度減衰は補償される。しかし、光源装置１”に少なくとも一つの第１の小型ランプ２０”および少なくとも一つの第２の小型ランプ３０”を設置しなくてはならないので、光源装置１”の構造が複雑になり、製造および組立に不便である。
【特許文献１】台湾専利公告第４７８６９７号明細書
【特許文献２】特開平９−１１４９６３号公報
【考案の開示】
【考案が解決しようとする課題】
【０００５】
本考案の目的は、上述の従来技術における欠点を解決できる、輝度が均一で、構造が簡単なスキャナ光源を提供することにある。
【課題を解決するための手段】
【０００６】
上述の目的を解決するために、本考案のスキャナ光源は、搭載板および複数のＬＥＤを備え、ＬＥＤは直線且つ分散して搭載板上に設置され、搭載板の中央部から搭載板の両端にかけて各ＬＥＤ間の間隔が徐々に縮小される。
【考案の効果】
【０００７】
本考案のスキャナ光源は、ＬＥＤが直線且つ分散して搭載板上に設置され、スキャナ光源両端から放出される光の輝度を高める。本考案ではその他の発光部材を設置しなくても光学レンズ辺縁部分の輝度減衰を補償することができ、感光部材上に照射される光の輝度を均一にすることができる。本考案は従来技術と比較して構造が簡単であり、製造および組立に便利である。
【考案を実施するための最良の形態】
【０００８】
本考案の目的、特徴および効果を示す実施例を図に沿って詳細に説明する。
【０００９】
図２は本考案のスキャナ光源１の第１の実施例を示す模式図である。図３は本考案のスキャナ光源１の第１の実施例を示す断面図である。スキャナ光源１は、長い板状の搭載板１０、複数のＬＥＤ２０および二つのカバー３０を備える。ＬＥＤ２０は搭載板１０上に直線に設置され、搭載板１０の中央部から両端にかけて各ＬＥＤ２０間の間隔は徐々に縮小される。二つのカバー３０はそれぞれ搭載板１０の相対する両側部に設置され、二つのカバー３０は搭載板１０に搭載されたＬＥＤ２０の一側から湾曲して弧形を呈する。カバー３０は内側面３１を有し、内側面３１上には光反射層（図示せず）が設置される。二つのカバー３０間には出光口４０が形成される。
【００１０】
ＬＥＤ２０から放出される光の一部は直接出光口４０から放出され、その他の一部の光はカバー３０の内側面３１に反射した後、出光口４０から放出される。出光口４０から放出された光は被読取物に投射され、被読取物に照射された後反射され、反射後の光は光学レンズ（図示せず）を通過し、感光部材（図示せず）に画像が形成される。搭載板１０両端のＬＥＤ２０間の間隔が搭載板１０中央部分のＬＥＤ２０の間隔よりも狭いので、光学レンズ辺縁部分の光の輝度減衰を効果的に補償でき、感光部材が受ける光の輝度は均一なものとなる。
【００１１】
図４は本考案のスキャナ光源１の第２の実施例を示す模式図である。本実施例は第１の実施例の構造と類似しており、本実施例によるスキャナ光源１は、搭載板１０、複数のＬＥＤ２０’およびカバー３０を備える。第１の実施例と異なる点は、ＬＥＤ２０’が等間隔に搭載板１０上に直線に設置されており、各ＬＥＤ２０’の放出する光の輝度は異なり、搭載板１０の中央部から両端のＬＥＤ２０’にかけて輝度が徐々に高くなっている点にある。搭載板１０両端に設置されるＬＥＤ２０’の輝度は搭載板１０中央部のＬＥＤ２０’の輝度よりも高く、それによって光学レンズ辺縁部分の光の輝度減衰を効果的に補償でき、感光部材が受ける光の輝度は均一なものとなる。
【００１２】
上述のように、本考案のスキャナ光源１はＬＥＤ２０、２０’が搭載板１０上に直線且つ分散して設置され、スキャナ光源１両端から放出される光の輝度を高めることによって光学レンズ辺縁部分の光の輝度減衰を効果的に補償でき、感光部材が受ける光の輝度は均一にすることができ、従来技術と比較して構造が簡単で、製造および組立に便利である。
【００１３】
上述の説明は本考案の好適な実施例を示すものであり、本考案の範囲を限定するものではなく、当該技術に熟知する者は本考案の主旨を逸脱しない範囲における修飾または変更を行うことができ、それらは全て本考案の実用新案登録請求の範囲に含まれる。
【図面の簡単な説明】
【００１４】
【図１】特許文献１において開示される光源両端の輝度を高めることができる光源装置を示す模式図である。
【図２】本考案のスキャナ光源の第１の実施例を示す模式図である。
【図３】本考案のスキャナ光源の第１の実施例を示す断面図である。
【図４】本考案のスキャナ光源の第２の実施例を示す模式図である。
【符号の説明】
【００１５】
１    スキャナ光源
１０  搭載板
２０、２０’  ＬＥＤ
３０  カバー
３１  内側面
４０  出光口
【図１】
0003139787.tif 000003
【図２】
0003139787.tif 000004
【図３】
0003139787.tif 000005
【図４】
0003139787.tif 000006